【事件の表示】
　特願２００３−　５２９４６号「グリル付きガスこんろ」拒絶査定不服審判事件〔平成１６年　９月２４日出願公開、特開２００４−２６３９００号〕について、次のとおり審決する。
【結　論】
　本件審判の請求は、成り立たない。
【理　由】
第１　手続の経緯
　平成１５年　２月２８日　本件出願
　平成２０年　５月　８日　拒絶理由通知
　平成２０年　７月　７日　意見書、手続補正書
　平成２０年　９月　４日　拒絶査定
　平成２０年１０月　９日　本件審判請求、手続補正書
　平成２０年１０月２０日　手続補正書
　　　
第２　平成２０年１０月９日付け手続補正についての補正却下の決定
［補正却下の決定の結論］
　平成２０年１０月９日付け手続補正（以下「第１補正」という。）を却下する。
　　　　　　　　　　　
［理由］
１　平成２０年１０月２０日付けの手続補正（以下「第２補正」という。）の適否の判断にあたっては、その第２補正より前の時点での明細書及び図面を基準にしなければならないところ、その基準となるのは、最後に適法に補正された明細書及び図面である（参考裁判例：平成１７年（行ケ）１０６９８号判決）。
　そこで、まず、第２補正の直前の補正である第１補正の適否について検討する。　
　　
２　第１補正の内容
　第１補正は、明細書の特許請求の範囲を補正するものであって、その補正前の請求項５（請求項１を引用するもの）及び補正後の請求項１の記載を補正箇所に下線を付して示すと以下のとおりである。
　　　　　　　　　　　　　
（１）補正前の請求項５　
　「【請求項１】こんろ本体にガスこんろ部とグリルとを備えたグリル付きガスこんろにおいて、こんろ本体の前面上部にガスこんろ部の点火、消火を手動操作で行うための押釦よりなる点火・消火手動操作部を露出して設け、この押釦よりなる点火・消火手動操作部
が前方に突出した状態で点火・消火手動操作部を指で摘んで回動操作することでガスこんろ部の火力調整ができるようになっており、こんろ本体の前面下部に操作パネルを収納自在に設けると共に該操作パネルにグリルの点火・消火スイッチを設けて成る
【請求項５】
ガスこんろ部の点火・消火手動操作部がこんろ本体部１に対して前後に移動自在となり、点火・消火手動操作部を後方に移動させる消火操作で前面と略面一となり、点火操作で点火・消火手動操作部をこんろ本体の前面よりも突出するように構成し、このガスこんろ部の点火・消火手動操作部を突出状態で回動して火力調整自在として成る
　　　　　　　　　　
（２）補正後の請求項１
　「【請求項１】こんろ本体にガスこんろ部とグリルとを備えたグリル付きガスこんろにおいて、こんろ本体の前面上部にガスこんろ部の点火、消火を手動操作で行うための押釦よりなる点火・消火手動操作部を露出して設け、
　
この押釦よりなる点火・消火手動操作部は、こんろ本体に対して前後に移動自在となり、後退した状態の点火・消火手動操作部を指で押すことで点火・消火手動操作部をこんろ本体の前面よりも突出させると共にガスこんろ部を点火し、該突出状態で指で摘んで回動することでガスこんろ部の火力調整ができ、前方に突出している点火・消火手動操作部を後方に押し操作することで、ガスこんろ部の消火を行い且つこの点火・消火手動操作部を後方に移動させる消火状態で前面と略面一となるように構成
　こんろ本体の前面下部に操作パネルを
備えた可動部材を回動自在に取付け、該可動部材の前面上部を押してこんろ本体の前面から前方に突出させて操作パネルを上方に露出させ、且つ、前方に突出した状態で可動部材の前面上部を押して操作パネルを収納するように構成し、上記操作パネルにグリル用調理設定入力部を設け、グリル用調理設定入力部に指で押すことでグリル調理の設定入力をおこなうための複数種類のスイッチと、指で押すことでグリルの点火、消火をするための
　て成ることを特徴とするグリル付きガスこんろ。」
　　　　
３　補正の適否
　第１補正後の請求項１は、
　その補正前の請求項５(請求項１を引用するもの)の「この押釦よりなる点火・消火手動操作部が前方に突出した状態で点火・消火手動操作部を指で摘んで回動操作することでガスこんろ部の火力調整ができるようになっており」及び「ガスこんろ部の点火・消火手動操作部がこんろ本体部１に対して前後に移動自在となり、点火・消火手動操作部を後方に移動させる消火操作で前面と略面一となり、点火操作で点火・消火手動操作部をこんろ本体の前面よりも突出するように構成し、このガスこんろ部の点火・消火手動操作部を突出状態で回動して火力調整自在として成る」を、
　「この押釦よりなる点火・消火手動操作部は、こんろ本体に対して前後に移動自在となり、後退した状態の点火・消火手動操作部を指で押すことで点火・消火手動操作部をこんろ本体の前面よりも突出させると共にガスこんろ部を点火し、該突出状態で指で摘んで回動することでガスこんろ部の火力調整ができ、前方に突出している点火・消火手動操作部を後方に押し操作することで、ガスこんろ部の消火を行い且つこの点火・消火手動操作部を後方に移動させる消火状態で前面と略面一となるように構成し」とし、
　その補正前の請求項５(請求項１を引用するもの)の「こんろ本体の前面下部に操作パネルを収納自在に設けると共に該操作パネルにグリルの点火・消火スイッチを設け」を、
　「こんろ本体の前面下部に操作パネルを備えた可動部材を回動自在に取付け、該可動部材の前面上部を押してこんろ本体の前面から前方に突出させて操作パネルを上方に露出させ、且つ、前方に突出した状態で可動部材の前面上部を押して操作パネルを収納するように構成し、上記操作パネルにグリル用調理設定入力部を設け、グリル用調理設定入力部に指で押すことでグリル調理の設定入力をおこなうための複数種類のスイッチと、指で押すことでグリルの点火、消火をするための点火・消火スイッチを設け」
　としたものであるから、第１補正は、平成１８年法律第５５号改正附則第３条第１項によりなお従前の例によるとされる同法による改正前の特許法（以下「改正前特許法」という。）第１７条の２第４項第２号の特許請求の範囲の減縮を目的とするものに該当する。
　そこで、第１補正後における請求項１に記載された事項により特定される発明（以下「第１補正発明」という。）が特許出願の際独立して特許を受けることができるものであるか（改正前特許法第１７条の２第５項において準用する同法第１２６条第５項の規定に適合するか）について以下検討する。
　　
（１）第１補正発明
　第１補正発明は、第１補正により補正された明細書及び図面の記載からみて、前記２の（２）に示す特許請求の範囲の請求項１に記載された事項により特定されるとおりのものである。
　　　　
（２）引用刊行物
　これに対して、原査定の拒絶の理由に引用された、本件出願前に日本国内おいて頒布された刊行物である特開平７−４２９４３号公報（以下「刊行物１」という。）、特開平４−１７４２１８号公報（以下「刊行物２」という。）には、それぞれ以下の事項が記載されている。
　なお、下線は当審で付した。
　　　
ア　刊行物１
　なお、Ｓ１、Ｌ１等は、Ｓ１、Ｌ１等と表記した。
　　
（ア）特許請求の範囲、段落【０００１】〜【０００４】
「【特許請求の範囲】
【請求項１】コンロ前面側に制御スイッチ類及び表示ランプ類を配置した制御操作部を設けた調理コンロであって、前記制御操作部を使用頻度の多い一群の操作を行う第１の制御操作部と、使用頻度の少ない一群の操作を行う第２の制御操作部に分け、前記第１の制御操作部は常に露出状態に構成すると共に、前記第２の制御操作部はコンロ内へ出没自在に収納される構成とし、且つ第２の制御操作部における運転状態の表示は前記第１の制御操作部においても表示されるように構成したことを特徴とする調理コンロ。
【発明の詳細な説明】
【０００１】
【産業上の利用分野】本発明は台所等に配置されるガスコンロ等の調理コンロに関する。
【０００２】
【従来の技術】最近における調理コンロにおいては、制御操作ボタン等の数も多くなり、多数の操作ボタンと多数の運転表示がコンロ前面側等の制御操作部のある領域に羅列された状態となっている。
【０００３】
【発明が解決しようとする課題】ところが、上記のような従来の調理コンロでは、使用者にとって、特に年配の人等にとって、スイッチ類が多いため、それだけで操作が複雑に感じられ、また現に使用スイッチの選択までに時間がかかったりして、使用勝手が良くない問題があった。
【０００４】そこで、本発明は上記従来技術の欠点を解消し、制御操作部における操作が容易で使用勝手の良い調理コンロの提供を目的とする。」
　　　
（イ）段落【０００６】
「【作用】
使用頻度の多い第１の制御操作部と使用頻度の少ない第２の制御操作部とを分けることで、通常時は第１の制御操作部だけを使用し、第２の制御操作部はコンロ内に収納しておくことができる。これによって、使用者は不必要な制御スイッチ類に惑わされることなく、目的の操作を容易に選択して行うことができる。
また第２の制御操作部を操作する場合には、コンロ内から操作部を引き出したりする必要があるので、使用者にとっても特別の操作となり、それだけ操作上における注意力の喚起になる。
　　　
（ウ）段落【０００７】〜【００１０】
「【０００７】
【実施例】図１は本発明の調理コンロの実施例を示す要部の斜視図、図２は第１の制御操作部の詳細を示す図、図３は第２の制御操作部の詳細を示す図である。
【０００８】
調理コンロ１０は、その前面１１側に、第１の制御操作部１２が常に露出した状態で配置されており、その下方に第２の制御操作部１３がコンロ１０内に出没自在に収納できる状態で配置されている。コンロ１０の上面には左バーナ１４、後バーナ１５、右バーナ１６の３つが設けられ、またグリル１７が前面１１側に開口自在にして設けられている。
【０００９】前記
第１の制御操作部１２は頻繁に使用する操作を行うための操作部で、電源スイッチと上面のバーナ１４、１５、１６のスイッチが設けられている。即ち、斜上方に向いた面に、図２上において左側から、電源スイッチＳ１、左バーナ消火スイッチＳ２、左バーナ点火スイッチＳ３、Ｓ４、後バーナ消火スイッチＳ５、後バーナ点火スイッチＳ６、Ｓ７、右バーナ消火スイッチＳ８、右バーナ点火スイッチＳ９、Ｓ１０が設けられている。
【００１０】
前記第２の制御操作部１３は、使用頻度の比較的少ない操作を行うための操作部で、必要に応じて、コンロ１０内から回動して引き出し、引き出した状態で、斜め上方に向いた面上の各操作スイッチ等を操作することになる。
　　
（エ）段落【００１１】
「前記
第１の制御操作部１２では、３つバーナ１４、１５、１６の点火消火、及び能力調整を行うことができる。頻繁に使用される操作である。今、消火状態から点火スイッチＳ３、Ｓ６、Ｓ９の何れかをオンすると、それぞれランプＬ２、Ｌ６、Ｌ１０、がオンし、トロ火状態となる。そしてこの状態から更に点火スイッチＳ４、Ｓ７、Ｓ１０を１回オンすると
小火状態となる。さらに点火スイッチＳ４、Ｓ７、Ｓ１０を１回オンすると
中火状態となる。さらに点火スイッチＳ４、Ｓ７、Ｓ１０を１回オンすると
大火状態となる。一方、消火状態から点火スイッチＳ４、Ｓ７、Ｓ１０の何れかをオンすると、
大火状態となる。そしてこれに次いで、点火スイッチＳ３、Ｓ６、Ｓ９を１回オンすると中火状態となり、さらに１回押すと小火状態となり、さらに１回押すとトロ火状態となる。
　　
（オ）段落【００１２】〜【００１４】
「【００１２】
前記第２の制御操作部１３では
グリルのタイマ設定、グリルの点火、消火及び能力設定を行うことができる。
【００１３】
第２の制御操作部１３でタイマ操作を行う場合には、タイマ選択スイッチＳ１３によって、
グリル１７の何れかを選択すると、対応する何れかのランプ
が点灯し、タイマ１０分スイッチＳ１４、タイマ１分スイッチＳ１５で時間を設定するとタイマ時間表示セグメントＬ２５が時間を表示し、タイマセットスイッチＳ１２をオンすることで、タイマセットが完了する。そして対応するバーナ１４、１５、１６、グリル１７の点火スイッチをオンすることで、タイマ運転ができる。
【００１４】
第２の制御操作部１３でグリル１７の運転制御をする場合、グリル点火スイッチＳ１７をオンすると
強火状態での運転が開始される。そして更に１回グリル点火スイッチＳ１７オンすると、グリル能力表示ランプＬ２３のみの点灯となり、弱火状態の運転となる。
　　
（カ）上記（ウ）（段落【０００８】）及び図１からみて、調理コンロ１０の本体にバーナとグリルとが備えられている、ということができる。
　　
（キ）上記（ウ）（段落【０００９】）、上記（エ）及び図２の各スイッチの形態からみて、第１の制御操作部の各スイッチは、指で押されて操作されることは明らかである。
　
（ク）上記（ウ）（段落【００１０】）の「第２の制御操作部１３は、使用頻度の比較的少ない操作を行うための操作部で、必要に応じて、コンロ１０内から回動して引き出し、引き出した状態で、斜め上方に向いた面上の各操作スイッチ等を操作することになる。」の「引き出した状態で、斜め上方に向いた面」は、各操作スイッチが設けられていることからみて、操作面ということができる。
　また、その操作面は、第２の制御操作部を引き出すと上方に露出する、ということができる。
　また、上記（ウ）（段落【０００８】）の「第２の制御操作部１３がコンロ１０内に出没自在に収納できる状態で配置されている」との記載、図１での第２の制御操作部の引き出された状態からみて、前記操作面の調理コンロ本体への収納が、第２の制御操作部の前面上部が押されて行われることは技術常識である。
　　
（ケ）上記（ウ）（段落【００１０】）、上記（オ）及び図３の各スイッチの形態からみて、第２の制御操作部の各スイッチは指で押されて操作されることは明らかである。　
　　
　前記（ア）ないし（オ）に摘示した事項、前記（カ）ないし（ケ）で認定した事項並びに図１ないし３から、刊行物１には、次の発明（以下「引用発明」という。）が記載されていると認められる。
　　
　「調理コンロ本体にバーナとグリルとを備えた調理コンロにおいて、調理コンロ本体の前面上部にバーナの点火、消火を手動操作で行うためのスイッチが設けられた第１の制御操作部を露出して設け、
　この第１の制御操作部は、点火スイッチを指で押すことでバーナを点火し、さらに点火スイッチを押すことでバーナの火力調整ができ、消火スイッチを押し操作することで、バーナの消火を行い、
　調理コンロ本体の前面下部に、操作面を備えた第２の制御操作部を回動自在に取付け、
　第２の制御操作部を調理コンロ本体の前面から前方に引き出して操作面を上方に露出させ、且つ、前方に引き出した状態で第２の制御操作部の前面上部を押して操作面を収納するように構成し、上記操作面に、指で押すことでグリルのタイマ設定をおこなうためのタイマ選択スイッチ、タイマ１０分スイッチ、タイマ１分スイッチ及びタイマセットスイッチ、指で押すことでグリルの点火をするためのグリル点火スイッチ並びに指で押すことでグリルの消火をするためのグリル消火スイッチを設けて成る調理コンロ。」
　　
イ　刊行物２
（ア）第１ページ左欄下から２行目〜第２ページ上左欄第３行
「産業上の利用分野
　本発明は
押し操作によりガス通路を開閉し点火させるガス器具の操作部
　従来の技術
　従来より、押し操作によるガス点火手段は、特願昭６２−２７６１６８号に記載される如く、点火つまみを、ばね力に抗して、かなり奥まで押し込まなければならないとともにガス点火するまでの数秒間押し続けなければならないなど操作性上の課題があった。
　そこで
特願平１−３１６８６７号のガス点火装置は、少しの押しストロークで、つまみを押して手を放すだけで、自動的に点火するガス点火装置を提案した
　発明が解決しようとする課題
　しかしながら特願平１−３１６８６７号の構成においては、点火つまみのロックが解除されるまでのストロークが少ないために点火動作以外の不意の動作で体の一部がつまみに当りガス点火してしまうなど安全上の課題があった。
　そこで、本発明は特願平１−３１６８６７号の操作性における長所を確保しつつ、点火動作以外の不意の動作では点火し得ない安全なガス器具を提供することを目的としている。」
　　
（イ）第２ページ上左欄第１５行〜下左欄第８行　　
「実施例
　以下、本発明の一実施例におけるガス器具について、図面とともに説明する。
　第２図は
組込型ガスコンロの外観斜視図であり、上部にガスコンロ７を配し、下部にはガスグリル８を配したもので、右側前面にこれらの操作部９を設けてある。この操作部９の高さはちょうど人体の腰の付近に位置し、不意の動作で腰が点火つまみ２に当る恐れがある。
　第１図に操作部の断面図を示す。
ばね１１の力に抗して押し込み操作自在に点火つまみ２を配し、点火つまみ２に連結してガス通路の開閉とガス点火を司どるガス点火手段３を装着した
手以外の体の一部では点火つまみを点火状態まで押し込めないことが確認され
　
（ウ）第２ページ下左欄下から３行目〜下右欄第７行
「第４図はさらに他の実施例を示し、
点火つまみ２を
ロック位置においてその前面外周部が操作パネル１の面とほぼ同一面となるように配し
　　
　上記（ア）ないし（ウ）で摘示した事項並びに第１、２及び第４図をふまえると、刊行物２には、次の事項が記載されているものと認められる。
　　
　「ガスコンロとガスグリルとを備えた組込型ガスコンロの前面にガスコンロの点火を押し操作で行うための点火つまみを設け、この点火つまみは、組み込み型ガスコンロに対して前後に移動自在となり、点火つまみを指で押すことでガスコンロを点火し、ロック位置の状態で前面と略面一となっていること。」
　　　
（３）対比
　第１補正発明と引用発明とを対比する。
　引用発明の「調理コンロ本体」は、第１補正発明の「こんろ本体」に相当する。同様に、「バーナ」は「ガスこんろ部」に、「調理コンロ」は「グリル付きガスこんろ」に、それぞれ相当する。
　引用発明の「スイッチが設けられた第１の制御操作部」は、「点火・消火手動操作部」という限りにおいて、第１補正発明の「押釦よりなる点火・消火手動操作部」と共通する。
　引用発明の「操作面」は、その機能からみて、第１補正発明の「操作パネル」に相当する。同様に、「第２の制御操作部」は「可動部材」に相当する。
　引用発明の「第２の制御操作部を調理コンロ本体の前面から前方に引き出して操作面を上方に露出させ、且つ、前方に引き出した状態で第２の制御操作部の前面上部を押して操作面を収納するように構成し」は、「可動部材をこんろ本体の前面から前方に突出させて操作パネルを上方に露出させ、且つ、前方に突出した状態で可動部材の前面上部を押して操作パネルを収納するように構成し」という限りにおいて、第１補正発明の「可動部材の前面上部を押してこんろ本体の前面から前方に突出させて操作パネルを上方に露出させ、且つ、前方に突出した状態で可動部材の前面上部を押して操作パネルを収納するように構成し」と共通する。
　引用発明の「グリルのタイマ設定をおこなうためのタイマ選択スイッチ、タイマ１０分スイッチ、タイマ１分スイッチ及びタイマセットスイッチ」は、「グリル調理の設定入力をおこなうためのスイッチ」という限りにおいて、第１補正発明の「グリル調理の設定入力をおこなうための複数種類のスイッチ」と共通する。
　引用発明の「指で押すことでグリルの点火をするためのグリル点火スイッチ並びに指で押すことでグリルの消火をするためのグリル消火スイッチ」は、「指で押すことでグリルの点火、消火をするためのスイッチ」という限りにおいて、第１補正発明の「指で押すことでグリルの点火、消火をするための点火・消火スイッチ」と共通する。
　そして、引用発明の「操作面に、指で押すことでグリルのタイマ設定をおこなうためのタイマ選択スイッチ、タイマ１０分スイッチ、タイマ１分スイッチ及びタイマセットスイッチ、指で押すことでグリルの点火をするためのグリル点火スイッチ並びに指で押すことでグリルの消火をするためのグリル消火スイッチを設けて成る」ことは、操作パネルである操作面に設けられた各スイッチにより、グリルのタイマ設定やグリルの点火、消火というグリル用の調理設定を行うのであるから、「操作パネルにグリル用調理設定入力部を設け、グリル用調理設定入力部に指で押すことでグリル調理の設定入力をおこなうためのスイッチと、指で押すことでグリルの点火、消火をするためのスイッチを設けて成る」という限りにおいて、第１補正発明の「操作パネルにグリル用調理設定入力部を設け、グリル用調理設定入力部に指で押すことでグリル調理の設定入力をおこなうための複数種類のスイッチと、指で押すことでグリルの点火、消火をするための点火・消火スイッチを設けて成る」ことと共通する。
　　
　したがって、両者の一致点及び相違点は、次のとおりと認められる。
　　　
＜一致点＞
　「こんろ本体にガスこんろ部とグリルとを備えたグリル付きガスこんろにおいて、こんろ本体の前面上部にガスこんろ部の点火、消火を手動操作で行うための点火・消火手動操作部を露出して設け、
　こんろ本体の前面下部に操作パネルを備えた可動部材を回動自在に取付け、
　可動部材をこんろ本体の前面から前方に突出させて操作パネルを上方に露出させ、且つ、前方に突出した状態で可動部材の前面上部を押して操作パネルを収納するように構成し、上記操作パネルにグリル用調理設定入力部を設け、グリル用調理設定入力部に指で押すことでグリル調理の設定入力をおこなうためのスイッチと、指で押すことでグリルの点火、消火をするためのスイッチを設けて成るグリル付きガスこんろ。」の点。
　　　　
＜相違点１＞
　点火・消火手動操作部は、
　第１補正発明は、「押釦より」なり、「この押釦よりなる点火・消火手動操作部は、こんろ本体に対して前後に移動自在となり、後退した状態の点火・消火手動操作部を指で押すことで点火・消火手動操作部をこんろ本体の前面よりも突出させると共にガスこんろ部を点火し、該突出状態で指で摘んで回動することでガスこんろ部の火力調整ができ、前方に突出している点火・消火手動操作部を後方に押し操作することで、ガスこんろ部の消火を行い且つこの点火・消火手動操作部を後方に移動させる消火状態で前面と略面一となるように構成」しているのに対し、
　引用発明は、スイッチが設けられたものであり、点火スイッチを指で押すことでバーナを点火し、さらに点火スイッチを押すことでバーナの火力調整ができ、消火スイッチを押し操作することで、バーナの消火を行うものである点。
　　
＜相違点２＞　
　可動部材をこんろ本体の前面から前方に突出させて操作パネルを上方に露出させるために、
　第１補正発明では、可動部材の前面上部を押すのに対し、
　引用発明では、そのようにしているか不明な点。
　　
＜相違点３＞
　グリル調理の設定入力をおこなうために設けられているスイッチが、
　第１補正発明は、複数種類のスイッチであるのに対し、
　引用発明は、タイマ選択スイッチ、タイマ１０分スイッチ、タイマ１分スイッチ及びタイマセットスイッチである点。
　　　
＜相違点４＞
　指で押すことでグリルの点火、消火をするためのスイッチが、
　第１補正発明は、グリルの点火、消火をするための点火・消火スイッチであるのに対し、
　引用発明は、グリルの点火をするためのグリル点火スイッチとグリルの消火をするためのグリル消火スイッチとである点。
　　　　
（４）相違点についての検討
ア　相違点１について
（ア）刊行物２には、前記（２）イで示したとおりの、「ガスコンロとガスグリルとを備えた組込型ガスコンロの前面にガスコンロの点火を押し操作で行うための点火つまみを設け、この点火つまみは、組み込み型ガスコンロに対して前後に移動自在となり、点火つまみを指で押すことでガスコンロを点火し、ロック位置の状態で前面と略面一となっていること。」が記載されている。
　刊行物２記載の事項の「ガスコンロ」は、第１補正発明の「ガスコンロ部」ということができる。以下同様に、「ガスグリル」は「グリル」と、「組込型ガスコンロ」は「こんろ本体」と、「押し操作」は「手動操作」と、「点火つまみ」は「押釦」と、「ロック位置の状態」は「消火状態」と、ぞれぞれいうことができる。　
　そうすると、刊行物２記載の事項は、「ガスこんろ部とグリルとを備えたこんろ本体の前面にガスこんろ部の点火を手動操作で行うための押釦を設け、この押釦は、こんろ本体に対して前後に移動自在となり、押釦を指で押すことでガスこんろ部を点火し、消火状態で前面と略面一となっていること。」と言い換えることができる。
　そして、引用発明と刊行物２記載の事項とは、ガスこんろの点火のための操作部が、指で押すことにより操作される手動操作部で構成される点で共通する。さらに、刊行物２記載の事項は、「操作部９の高さはちょうど人体の腰の付近に位置し、不意の動作で腰が点火つまみ２に当る恐れがある」ことから、「手以外の体の一部では点火つまみを点火状態まで押し込めない」ようにするためのもの（前記（２）の（イ））であるところ、引用発明の露出した状態の点火・消火手動操作部である第１の制御操作部も、人の腰の高さ付近に位置するものであるから、不意の動作で点火操作が行われる危険性があるということができる。　
　
（イ）また、引用発明では、ガスこんろ部の点火、消火、及び火力調整は、指で押すことにより操作される手動操作部により行われるところ、手動操作部が押釦よりなり、それが点火、消火及び火力調整の操作部を兼ねること、手動操作部がこんろ本体に対して前後に移動自在であり、点火において、後退した状態の手動操作部が指で押されるとこんろ本体の前面より突出し、火力調整において、手動操作部が突出状態で指で摘まれて回動し、消火において、前方に突出している手動操作部を後方に押し操作することで、ガスこんろ部の消火が行われかつ手動操作部が後方に移動することは、従来周知の事項である（例えば、特開平３−１７７７１１号公報、特開平１−１１８０２６号公報、特開昭６３−２５１７１８号公報、特開平５−２０３１４２号公報を参照のこと。）。
　　
（ウ）上記（ア）及び（イ）をふまえると、引用発明の点火・消火手動操作部として刊行物２記載の事項を適用すること、すなわち、押釦を設けるととともに、この押釦をこんろ本体に対して前後に移動自在とし、押釦を指で押すことでガスこんろ部を点火し、消火状態でこんろ本体の前面と略面一とすること、とともに、上記周知の事項を適用することで、相違点１に係る構成とすることは当業者が容易になし得たことである。
　　
イ　相違点２について
　引用発明の第２の制御操作部すなわち可動部材も、刊行物１の図１をみると、本体に収納された可動部材をその下辺を中心として前方に突出させるものであるところ、可動部材の前面を押すことで、本体に収納された可動部材をその下辺を中心として前方に突出させることは、従来周知の事項（例えば、実願昭５９−１７７４６０号（実開昭６１−９１７１７号）のマイクロフィルムの第５ページ第７〜１０行を参照のこと。）である。
　してみると、可動部材をこんろ本体の前面から前方に突出させて操作パネルを上方に露出させるために、引用発明に上記周知の事項を適用して可動部材の前面を押すようにすることは、当業者が容易になし得たことである。このとき、可動部材の前面においてその上方を押すことは、可動部材の下辺を中心として前方に突出させることからみて、普通に行われていることにすぎない。
　　　
ウ　相違点３について
　引用発明において、グリル調理の設定入力を行うためのスイッチである、タイマ設定をおこなうためのタイマ選択スイッチ、タイマ１０分スイッチ、タイマ１分スイッチ及びタイマセットスイッチは、タイマ選択スイッチによりグリルでタイマ運転を行うことを選択し、タイマ１０分スイッチとタイマ１分スイッチで時間を設定し、タイマセットスイッチでタイマのセットが完了する（刊行物１の段落【００１３】、前記（２）ア（オ）参照）ことからみて、複数種類のスイッチということができるから、相違点３は実質的な相違点ではない。
　仮に、引用発明のタイマ選択スイッチ、タイマ１０分スイッチ、タイマ１分スイッチ及びタイマセットスイッチが複数種類のスイッチではないとしても、刊行物１の段落【００１４】（前記（２）ア（オ）参照）には、「第２の制御操作部１３でグリル１７の運転制御をする場合、グリル点火スイッチＳ１７をオンすると、・・・第１の制御操作部１２にあるグリル点火表示ランプＬ２６が点灯し、また第２の制御操作部１３のグリル能力表示ランプＬ２３とＬ２４の両方が点灯し、強火状態での運転が開始される。そして更に１回グリル点火スイッチＳ１７オンすると、グリル能力表示ランプＬ２３のみの点灯となり、弱火状態の運転となる。」と記載され、グリルの火力をスイッチにより調整することが示唆されているところ、グリルの火力調整のためのスイッチとグリル点火のためのスイッチを分けるかどうかは、当業者が適宜選択する設計事項にすぎない。
　してみると、グリル調理の設定入力を行うためのスイッチとして、タイマ運転のスイッチに加えグリルの火力調整を行うスイッチを設けることで、複数種類のスイッチとすることは当業者が適宜なし得たことである。
　　
エ　相違点４について
　引用発明は、グリルの点火をするためのグリル点火スイッチとグリルの消火をするためのグリル消火スイッチとが設けられているところ、これを一つにまとめるかどうかは、スイッチの設置スペース等を勘案して当業者が適宜行う設計事項にすぎない。
　してみると、グリルの点火、消火をするためのスイッチを点火・消火スイッチとすることは、当業者が適宜なし得たことである。　　　
　　　
オ　第１補正発明の効果について
　請求人は、第１補正発明及び第２補正発明の効果について、「引用文献１（当審注：本審決の刊行物１のこと。）において、出没自在な第２の制御操作部１３を突出させた状態では、図１に示されるように頻繁に使用する調理こんろ１０を操作する第１の制御操作部１２のスイッチ、頻繁に使用しないグリルを操作する第２の制御操作部１３のスイッチがいずれも上面側に露出して、視覚的に設置形態の違いさえ区別がつきにくくなって、間違って操作しやすくなってしまう。したがって、引用文献１は前述の本願効果を奏し得ない。」（審判請求書、請求の理由（３）（３−４）の（ト））と主張する。
　しかし、刊行物１の段落【０００６】（前記（２）ア（イ）参照）には、第１の制御操作部と第２の制御操作部を分けることが注意力の喚起につながることが示唆されており、加えて、スイッチの形態が異なることが誤操作の防止につながることは、従来から普通に認識されていることにすぎない（例えば、特開２００３−１０３８０号公報の段落【０１８６】、特開２００２−３１５７４４号公報の段落【００３６】、特開２００１−４２１９７号公報の段落【００１８】）。
　してみると、第１補正発明の作用効果についてみても、引用発明、刊行物２記載の事項及び周知の事項から当業者が十分予測できる範囲のものであって、顕著なものとはいえない。　　　
　　
カ　したがって、第１補正発明は、引用発明、刊行物２記載の事項及び周知の事項から当業者が容易に発明をすることができたものであるから、特許法第２９条第２項の規定により特許出願の際独立して特許を受けることができないものである。
　　　
４　むすび
　したがって、第１補正は、改正前特許法第１７条の２第５項において準用する同法第１２６条第５項の規定に違反するので、同法第１５９条第１項において読み替えて準用する同法第５３条第１項の規定により却下すべきものである。
　
第３　第２補正（平成２０年１０月２０日付けの手続補正）についての補正却下の決定
［補正却下の決定の結論］
　第２補正を却下する。
　　　　　
［理由］
１　上記のとおり、第１補正は却下されたので、第２補正の適否の判断の基準となる明細書及び図面は、平成２０年７月７日付け手続補正書により補正された明細書及び図面である。
　
２　そして、第２補正後の請求項１は以下のとおりであり、その記載は第１補正での請求項１と同じであるから、第２補正は、改正前特許法第１７条の２第４項第２号の特許請求の範囲の減縮を目的とするものに該当する。
　
　第２補正後の請求項１
　「【請求項１】こんろ本体にガスこんろ部とグリルとを備えたグリル付きガスこんろにおいて、こんろ本体の前面上部にガスこんろ部の点火、消火を手動操作で行うための押釦よりなる点火・消火手動操作部を露出して設け、
　この押釦よりなる点火・消火手動操作部は、こんろ本体に対して前後に移動自在となり、後退した状態の点火・消火手動操作部を指で押すことで点火・消火手動操作部をこんろ本体の前面よりも突出させると共にガスこんろ部を点火し、該突出状態で指で摘んで回動することでガスこんろ部の火力調整ができ、前方に突出している点火・消火手動操作部を後方に押し操作することで、ガスこんろ部の消火を行い且つこの点火・消火手動操作部を後方に移動させる消火状態で前面と略面一となるように構成し、
　こんろ本体の前面下部に操作パネルを備えた可動部材を回動自在に取付け、　該可動部材の前面上部を押してこんろ本体の前面から前方に突出させて操作パネルを上方に露出させ、且つ、前方に突出した状態で可動部材の前面上部を押して操作パネルを収納するように構成し、上記操作パネルにグリル用調理設定入力部を設け、グリル用調理設定入力部に指で押すことでグリル調理の設定入力をおこなうための複数種類のスイッチと、指で押すことでグリルの点火、消火をするための点火・消火スイッチを設け
　て成ることを特徴とするグリル付きガスこんろ。」
　　
３　そして、第２補正後における請求項１に記載された事項により特定される発明は、上記第２の３で述べたのと同様の理由により、特許法第２９条第２項の規定により特許出願の際独立して特許を受けることができないものである。
　
４　したがって、第２補正は、改正前特許法第１７条の２第５項において準用する同法第１２６条第５項の規定に違反するので、同法第１５９条第１項において読み替えて準用する同法第５３条第１項の規定により却下すべきものである。
　
第４　本願発明について
１　第１補正及び第２補正は、上記第２及び第３のとおり却下されたので、本件出願の請求項５（請求項１を引用するもの）に係る発明は、平成２０年７月７日付け手続補正書により補正された明細書及び図面の記載からみて、その特許請求の範囲の請求項５に記載されたとおりのものであると認められるところ、請求項５に係る発明（以下「本願発明」という。）は、前記第２の２（１）に記載された事項により特定されるとおりのものである。
　　　　
２　これに対して、原査定の拒絶の理由に引用された刊行物１ないし２には、それぞれ、前記第２の３（２）で示したとおりの事項が記載されている。
　　　　
３　本願発明は、
　第１補正発明の「この押釦よりなる点火・消火手動操作部は、こんろ本体に対して前後に移動自在となり、後退した状態の点火・消火手動操作部を指で押すことで点火・消火手動操作部をこんろ本体の前面よりも突出させると共にガスこんろ部を点火し、該突出状態で指で摘んで回動することでガスこんろ部の火力調整ができ、前方に突出している点火・消火手動操作部を後方に押し操作することで、ガスこんろ部の消火を行い且つこの点火・消火手動操作部を後方に移動させる消火状態で前面と略面一となるように構成し」を、
　「この押釦よりなる点火・消火手動操作部が前方に突出した状態で点火・消火手動操作部を指で摘んで回動操作することでガスこんろ部の火力調整ができるようになっており」及び「ガスこんろ部の点火・消火手動操作部がこんろ本体部１に対して前後に移動自在となり、点火・消火手動操作部を後方に移動させる消火操作で前面と略面一となり、点火操作で点火・消火手動操作部をこんろ本体の前面よりも突出するように構成し、このガスこんろ部の点火・消火手動操作部を突出状態で回動して火力調整自在として成る」とし、
　第１補正発明の「こんろ本体の前面下部に操作パネルを備えた可動部材を回動自在に取付け、該可動部材の前面上部を押してこんろ本体の前面から前方に突出させて操作パネルを上方に露出させ、且つ、前方に突出した状態で可動部材の前面上部を押して操作パネルを収納するように構成し、上記操作パネルにグリル用調理設定入力部を設け、グリル用調理設定入力部に指で押すことでグリル調理の設定入力をおこなうための複数種類のスイッチと、指で押すことでグリルの点火、消火をするための点火・消火スイッチを設け」を、
　「こんろ本体の前面下部に操作パネルを収納自在に設けると共に該操作パネルにグリルの点火・消火スイッチを設け」
　としたものである。
　してみると、本願発明を構成する事項をすべて含む第１補正発明が、上記第２の３で述べたとおり、引用発明、刊行物２記載の事項及び周知の事項から当業者が容易に発明をすることができたものであるから、本願発明も同様の理由により当業者が容易に発明をすることができたものである。
　　　
４　したがって、本願発明は、特許法第２９条第２項の規定により特許を受けることができないものである。
　よって、本件出願のその余の請求項に係る発明について検討するまでもなく、結論のとおり審決する。